(57)【特許請求の範囲】
【請求項１】
前面に表示面を向けて配置された矩形板状の液晶パネルと、
前記液晶パネルの背後に配置されて前記液晶パネルを照明する、導光板、棒状光源およびリフレクタを有した矩形板状のバックライトと、
前記液晶パネルによる表示および照明を制御する信号を処理する液晶信号処理プリント基板と、
前記液晶信号処理プリント基板に連結され、前記信号を前記液晶パネルへと送り込むためのＴＣＰ(Tape Carrier Package)と、
少なくとも前記液晶パネル、前記バックライトおよび前記液晶信号処理プリント基板と当接して、前記液晶パネル、前記バックライトおよび前記液晶信号処理プリント基板を保持する矩形枠状のモールドフレームと、
前記液晶パネル、前記バックライト、前記液晶信号処理プリント基板、前記ＴＣＰおよび前記モールドフレームを含む集合体の矩形の周縁部を覆う前面部および側面部を有するフロントフレームと、を備え、
前記フロントフレームは、前記側面部に２重折り曲げ部を備えており、前記２重折り曲げ部の先に前記前面部と平行なリブを設け、前記フロントフレームの前面部と前記リブとの間に前記集合体を挟持する、液晶表示装置。
【請求項２】
前記２重折り曲げ部の先に設けられた前記リブは爪状に突き出して形成された、請求項１に記載の液晶表示装置。
【請求項３】
前記フロントフレームは金属板が一体成形加工されて形成された、請求項１または２に記載の液晶表示装置。
【請求項４】
前記２重折り曲げ部は、前記フロントフレームの矩形の長辺の側面部に設けられている、請求項１乃至３のいずれか１項に記載の液晶表示装置。
【請求項５】
前記２重折り曲げ部は、前記フロントフレームの前記リフレクタが配置されている長辺側と対向するもう一方の長辺側の側面部に設けられている、請求項４に記載の液晶表示装置。
【請求項６】
前記フロントフレームは前記リブにねじ孔を有し、前記集合体は前記ねじ孔に螺合されるねじによって前記フロントフレームに固定される、請求項１乃至５のいずれか１項に記載の液晶表示装置。
【請求項７】
前記前面部と平行な前記側面部の後部と連続する部分が、前記リブである、請求項６に記載の液晶表示装置。
【発明の詳細な説明】
【０００１】
【発明の属する技術分野】
本発明は、液晶表示装置に関し、特に衝撃等が加えられた場合にもその機能が安定に維持されるための構造を有する液晶表示装置に関する。
【０００２】
【従来の技術】
液晶を応用した表示装置は、この数年間急激な勢いで市場を拡大しており、その用途はＯＡ用、民生用、産業用と広がりの一途をたどると同時に、液晶応用製品について一層の、軽量化、薄型化、大画面化、およびコスト低廉化等の要求が高まっている。液晶製品は、これまでの表示装置の主力であるＣＲＴに比較して軽量化できるので、特に携帯機器や移動機器に数多く応用されている。携帯機器等に応用した場合、移動等に伴って必然的に生じる振動荷重、および衝突、落下等において受ける衝撃荷重は高く、これら機器は高価なものだけに振動や衝撃にも耐えられるような構造とすることが強く要求されている。
【０００３】
このような要求に応えて、耐振動性および耐衝撃性を向上させるために、多くの取り組みがなされている。その一つは、クッション構造を採用するものであり、ゴム、両面テープ、空気クッション等を付加した液晶表示装置の特許が数多く公表されている（例えば、特開平９−９６８００号公報）。その他のものは、補強板材、棒材、ブロック等を用い、液晶パネルや導光板等の重い大きな部材を支持補強する構造を採用する(特開平１０−１３３１７９号公報など)。これらの構造の採用により、従来の液晶表示装置における耐振動性および耐衝撃性の向上は、一定範囲内では実現された。
【０００４】
【発明が解決しようとする課題】
しかしながら、上記のいずれの手段を用いても、部品点数の増加、表示不良、生産効率低下、歩留り低下等を生じ、コスト上昇をもたらす。さらに、最近市場での要求の強い液晶表示装置の薄型化および大画面化は、従来の手段において採用されていた強度確保のための支持部材のスペースを大部分無くすことになった。このため、液晶表示装置はますます薄く、軽く、かつ大画面になってゆくとともに、外的振動や衝撃による損傷等の不具合が大きな問題となってきた。液晶パネル、導光板、プリント基板等の重要部品には、板状の形態をしたものが多く、これらの重要部品は、通常モールドフレームと呼ばれるプラスチック製フレームにより互いに一定の間隔を保って配置される。さらに、これらを１つの構造としてまとめるために、外枠であるフロントフレームがこれらの集合体をその周縁部において挟持する。フロントフレームは、通常ステンレスの薄板で構成される。
【０００５】
図６は、従来の液晶表示装置を示す概略図である。図６において、同装置は表示画面を形成する液晶パネル１０４と、導光板１２１と光源１２２とリフレクタ１２３とを有するバックライトと、液晶パネルへの信号を処理する液晶信号処理プリント基板１０５と、液晶信号処理プリント基板から液晶へと信号を伝達するＴＣＰ(Tape Carrier Package)１０６と、これら部品の端部をその凹部に当接させることによりこれら部品の相対的間隔を保持するモールドフレーム１０８と、これらの集合体の周縁部を挟持して保持するフロントフレーム１１０とを備える。フロントフレーム１１０は、前面部１１１と、側面部１１２と、引き掛け構造１２０において押し出されたリブ１１４とを備え、上記集合体の４周を前面部１１１とリブ１１４との間に挟持してはめ合い結合を形成する。
【０００６】
図７は、押し出されて形成された引き掛け構造部におけるリブを示す図である。図７(ａ)はフロントフレームにおいて引き掛け構造１２０が設けられる位置を示す。図７(ａ)において、引き掛け構造１２０は、通常、長辺側に設けられ、また、短辺側にねじ孔１２９が設けられる。図７(ｂ)は引き掛け構造１２０およびリブ１１４の１つの例を示す斜視図であり、図７(ｃ)は引き掛け構造部の平面図である。また、図７(ｄ)は引き掛け構造とリブの他の例を示す斜視図であり、図７(ｅ)はその平面図である。図７(ｂ)〜図７(ｅ)を参照して、上記の部品の集合体の周縁部はフロントフレームの前面部１１１と引き掛け構造部から押し出されたリブ１１４との間において挟持される。したがって、上記の周縁部が接するリブはリブの板厚断面であり、このようなリブの配置とすることによりリブの強度は高いものとなる。
【０００７】
上記の液晶表示装置を実装する手順の概要を図８に示す。まず、導光板１０５の端部に棒状光源（図示せず）を含むリフレクタ１２３を取り付ける。次いで、液晶パネル１０４、ＴＣＰと接続された液晶信号処理プリント基板１０５（図８において液晶パネル１０４の右側）、およびＴＣＰ１３６と接続されたプリント基板１３５（液晶パネル１０４の下側）が一体化されたものを準備する。ＴＣＰ１０６に接続された液晶信号処理プリント基板１０５はＴＣＰ１０６の部分で１８０°曲げられて、液晶パネルの面内に折り畳まれる。プリント基板１３５も同様に１８０°折り曲げられて、液晶パネルの面内に折り畳まれる。液晶信号処理プリント基板１０５およびプリント基板１３５が折り畳まれた状態で、液晶パネル１０４はバックライトとと合わされてモールドフレーム内に押し込まれ、部品集合体とされる。折り畳まれた状態のプリント基板１３５はモールドフレームの横枠１３８と外枠との間に収納される。最後に、フロントフレーム１１０の前面側を液晶パネル側に合わせて、上記の部品集合体の周縁部がフロントフレームの前面部とリブ(いずれも図示せず)との間にはめ合わされる。なお、プリント基板１３５とＴＣＰ１３６とが折り曲げられない状態でモールドフレーム内に収納され、部品集合体とされる場合もある。
【０００８】
次に、上記の従来のフロントフレームにおける問題点を説明する。図９はフロントフレームの１辺が振動荷重を受けた場合の等価モデルを示す図である。図９(ａ)において、Ｂ部には図７に示したような引き掛け構造が形成されて、その側面欠落部に応力集中が生じている。フロントフレームの１辺（長辺）について見ると、４点曲げの振動荷重が負荷されている。図９(ｂ)は図９(ａ)のＡ部における等価断面であり、また図９(ｃ)はＢ部における等価断面である。Ｂ部の引き掛け構造においては側面欠落部の存在のために等価断面はＡ部のそれに比較して、半分近くに小さくなっている。
【０００９】
図１０はフロントフレームの１辺にかかる曲げモーメントＭおよび応力の分布を示す図である。曲げモーメントおよび応力ともに最大値を１として規格化してある。図１０において、Ｂ部の側面欠落部に、異常に高い応力が集中的に生じていることが分かる。実測によっても、Ｂ部において高い応力が発生しており、Ｂ部に発生する亀裂破損が液晶表示装置の強度を低いものに限定している。また、側面欠落部を有するフロントフレームの剛性は低くなり、共振が生じる場合にはＴＣＰ(Tape Carrier Package)に異常に大きい変位量が生じ、ＴＣＰ断線の恐れが生じる。これらの耐振動性および耐衝撃性における脆弱化の傾向は、液晶表示装置の薄型化、大画面化に伴って一層顕著になり、損傷等の不具合発生の頻度は高くなっている。
【００１０】
そこで、本発明の目的は、薄型化、大画面化等がなされた条件下においても十分高い耐振動性および耐衝撃性を備えた液晶表示装置を提供することにある。
【００１１】
【課題を解決するための手段】
本発明の液晶表示装置は、前面に表示面を向けて配置された矩形板状の液晶パネルと、液晶パネルの背後に配置されて液晶パネルを照明する、導光板、棒状光源およびリフレクタを有した矩形板状のバックライトと、液晶パネルによる表示および照明を制御する信号を処理する液晶信号処理プリント基板と、液晶信号処理プリント基板に連結され、信号を前記液晶パネルへと送り込むためのＴＣＰ(Tape Carrier Package)と、少なくとも液晶パネル、バックライトおよび液晶信号処理プリント基板と当接して、液晶パネル、バックライトおよび液晶信号処理プリント基板を保持する矩形枠状のモールドフレームと、液晶パネル、バックライト、液晶信号処理プリント基板、ＴＣＰおよびモールドフレームを含む集合体の矩形の周縁部を覆う前面部および側面部を有するフロントフレームとを備え、前記フロントフレームは、前記側面部に２重折り曲げ部を備えており、前記２重折り曲げ部の先に前記前面部と平行なリブを設け、前記フロントフレームの前面部と前記リブとの間に前記集合体を挟持することを特徴とする。
【００１２】
上記の液晶表示装置においては、２重折り曲げ部の先に設けられた前記リブは爪状に突き出して形成されていてもよい。また、このような形状を有するフロントフレームは金属板が一体成形加工されて形成されることが望ましい。
【００１３】
液晶表示装置に含まれる部品を解析すると、フロントフレーム、液晶パネル（ガラス板）、導光板（アクリル板）およびモールドフレームのなかで、フロントフレームは面外剛性が高い部類に入る。上記のように、さらにフロントフレームの面外剛性を高めることは、液晶表示装置全体の剛性を高め、直ちに液晶表示装置の部品の振動および衝撃における変形量が小さくなり、電気部品としての故障を減少させることができる。すなわち、耐振動性および耐衝撃性を高くすることが可能となる。その上、この剛性の向上は両面テープや粘着剤を用いずに一体成形加工によってなされるので、補修容易性を確保しながら安価かつ簡便に実現される。なお、上記において部品の集合体の周縁部を挟持するのは、平坦な爪状リブでなくてもよく、引き掛け構造における押し出し部等を用いても良い。
【００１４】
上記の構成により、付加部品をとくに設けないので、液晶表示装置において重要視される薄型化、軽量化、および大画面化という性能を害さずに、耐振動性および耐衝撃性に耐えられる液晶表示装置を安価に提供することが可能となる。また、２重折り曲げ構造は、両面テープや粘着剤を用いることがないので、補修性に優れ、補修後の再使用が容易である。なお、上記において部品の集合体の周縁部を挟持するのは、平坦な爪状リブでなくてもよく、引き掛け構造における押し出し部等を用いても良い。
【００１５】
上記の液晶表示装置においては、２重折り曲げ部の矩形の辺に沿う一部分において、当該２重折り曲げ部から突き出すように前面部に平行に爪状に設けられたリブを備え、集合体の周縁部が前面部と当該リブとの間に挟持されることが望ましい。
【００１６】
上記のリブの配置により、液晶表示装置の各部品の実装を容易に行うことができ、かつリブは衝撃緩和効果を有し、同じく衝撃緩和効果を有する２重折り曲げ部の辺に限って設けられるので、耐衝撃性が大幅に向上する。上記の折り曲げリブは衝撃緩和に最適なばね構造を実現することができ、さらにプラスチック等の高分子材料製のモールドフレームを介してガラスやプリント基板に力が配られるので、局部支持に起因する過大応力の発生を防止することが可能となる。また、面外方向のリブの剛性は、２重折り曲げ構造によって補強されているので、十分強い力で部品の集合体の端部を挟持することができ、振動等によって各部品が面外に大きく振動することがなくなり、耐振動能力を大幅に向上することができる。
【００１７】
上記の液晶表示装置においては、フロントフレームは金属板が曲げ加工されて形成されたものであり、側面部は、外側面部および当該外側面部の後方端において内側に曲げ戻された内側面部を有し、当該曲げ戻された内側面部の金属板の一部の先が連続して爪状に突き出して、前面部に平行に折り曲げられてリブとされることが望ましい。
【００１８】
上記構造は金属板の薄板からなるフロントフレームについて実現される。したがって、従来品のコストと同じ程度のコストとすることができる。また、付加部品がないため、薄型化および大画面化に即応することができる。
【００１９】
上記の液晶表示装置においては、２重折り曲げ部は、フロントフレームの矩形の長辺の側面部に設けられていることが望ましい。
【００２０】
上記のようにフロントフレームの長辺に２重折り曲げ部を設けることにより、より大きくフロントフレームの剛性を向上させることができ、各部品の面外変形の量を小さくすることができる。
【００２１】
上記の液晶表示装置においては、２重折り曲げ部は、リフレクタが配置されているフロントフレームの長辺側と対向するもう一方の長辺側の側面部に設けられていることが望ましい。
【００２２】
リフレクタは通常アルミやステンレスで作製されるので、それ自体高い強度と剛性を有する。このため、リフレクタを強度部材として活用し、リフレクタが配置される長辺と対向する側の長辺に上記の２重折り曲げ構造を設けることにより、高剛性の部材を本装置の中で偏らせずに有効に配置することができる。その結果、低いコストで液晶表示装置の剛性を高められ、かつ全部品の特性を無駄なく活用するので、薄型化、軽量化および大画面化にも対処することが可能となる。
【００２３】
上記の液晶表示装置においては、フロントフレームは前記リブにねじ孔を有し、前記集合体は前記ねじ孔に螺合されるねじによって前記フロントフレームに固定されることが望ましい。
【００２４】
ねじによる固定ははめ合い結合より高い強度を有するので、確実に各部品をフロントフレームに結合することができる。また、補修後の再使用という点からもねじによる結合は再現性が高く、有利である。なお、ねじによる固定は特定の辺にのみ行い、他の辺ははめ合いによって挟持してもよく、むしろ望ましい。さらに、ねじを用いる場合またはねじを用いないではめ合いのみで挟持する場合の両方の場合において、テープを液晶表示装置の外周縁部の底面から側面にわたって貼付して挟持力を補強してもよい。テープは液晶表示装置の外周縁部の底面から側面にかけて粘着されるので、表示面に接触することはない。このため、補修性に影響を及ぼすことはない。
【００２５】
上記の液晶表示装置においては、前面部と平行な側面部の後部と連続する部分が、リブであることが望ましい。
【００２６】
上記の構成により、ねじ孔のあいたリブによってはめ合いによる挟持を行っても、またねじによる固定を行ってもよく、液晶表示装置の型等に応じて最適な固定を行うことができる。
【００２９】
【発明の実施の形態】
次に、図面を用いて本発明の実施の形態について説明する。
【００３０】
(実施の形態１)
図１は実施の形態１における液晶表示装置を示す図である。図１において、同装置は、液晶パネル２４と、導光板２１と棒状光源２２とリフレクタ２３とを備えるバックライト２５と、液晶信号処理プリント基板５と、液晶信号処理プリント基板からの信号を液晶パネル２４に伝達するＴＣＰ６と、モールドフレーム８と、フロントフレーム１０とを備える。モールドフレーム８は、上記の部品の端部をその凹部に当接させることにより、上記の部品間の間隔を一定に保ち、部品の集合体を形成している。これらの構成は従来のものと同じである。フロントフレーム１０は、矩形板状の液晶パネル２４および同じく４角枠状のモールドフレーム８の４周にわたって設けられ、前面部１１と側面部１２とを備える。側面部１２は２重折り曲げ部１３を備え、その２重折り曲げ部の先には前面部１１に平行なリブ１４が設けられる。図１において、２重折り曲げ部は隙間が誇張して描かれているが、通常隙間は２ｍｍ以下、例えば０．２ｍｍ程度であり、極端な場合は密着していてもよい。
【００３１】
図２(ａ)はフロントフレーム全体の斜視図であり、また図２(ｂ)は２重折り曲げ部１３およびリブ１４が設けられたフロントフレームの１辺（長辺）のみを取り出して示した斜視図である。２重折り曲げ部とリブとはお互いに連結しており、この両者が設けられる辺は４辺全てであってもよいし、また２辺の長辺であってもよいし、１辺の長辺のみであってもよい。また、図１においては、リフレクタ２３の配置されている長辺側に２重折り曲げ部とリブとが配置された構造を示す。しかし、リフレクタ２３は金属製なので強度部材としても機能するので、２重折り曲げ部とリブとは、リフレクタ側の長辺に設けずにリフレクタ側の長辺と対向する長辺側にのみ設けてもよく、むしろ軽量化等の観点からは好ましい。
【００３２】
図３（ａ）は、図１のフロントフレームにおけるリブと２重折り曲げ部とを通る断面形状を示し、また、図３(ｂ)はその等価断面を示す。以後、従来のフロントフレームの構造と比較しながら本実施の形態について説明する。
【００３３】
振動荷重を受ける液晶表示装置は、表示面に垂直方向(Ｚ方向)に振動荷重を受けるとき最も弱いことが実験によって示されている。図７において、Ａ部およびＢ部における断面２次モーメントＩA およびＩBは、式(１)および(２)のようになる。
【００３４】
ＩA＝（ｂｈA3）/12＝(0.4×7.33)/ 12＝13.0(mm4) …………(１)
ＩB＝（ｂｈB3）/12＝(0.4×3.773)/ 12＝1.8(mm4) …………(２）
また、フロントフレームにおける最大応力は式(３)によって決められる。
【００３５】
σmax＝(Ｍｈ)/2Ｉ      ………………………………………… (３)
実際に、引き掛け構造の側面脱落部の角における応力集中係数は、通常３以上なので、角の部分の荷重は他の部分の１０倍以上と考えられる。側面脱落部にき裂が集中的に発生する原因は、上記の簡単な解析によって容易に分かる。従来品の各部寸法（図７に示すｌ1、ｌ2、ｌ3）およびステンレス鋼の弾性率(ヤング率)のデータの１例を表１に示す。
【００３６】
【表１】
0004219053.tif 000002
【００３７】
図７に示す４点曲げの負荷形式において、荷重Ｆを０．５ｋｇｆとしたときのフロントフレームの変形量δ（ｍｍ）は表２に示すとおりである。
【００３８】
【表２】
0004219053.tif 000003
【００３９】
液晶表示装置の部品のなかで比較的高い剛性を有するものは、ガラスパネルおよび導光板である。これらの比較的高い剛性を有する部品の面外方向(Ｚ方向)に対する剛性は、有効弾性ばね定数によって解析することができる。表２に上記の部品の有効弾性ばね定数を示す。表２に示す結果によれば、フロントフレームは液晶表示装置のなかで最大の剛性を有していることが分かる。
【００４０】
図３(ｂ)に示す本実施の形態におけるフロントフレームの等価断面図によれば、図１に示す２重折り曲げ部付フロントフレームは、全長にわたって同じ剛性を有し、断面２次モーメントＩは約６６ｍｍ4となる。この値は従来品の５倍程度である。液晶表示装置全体の剛性については、フロントフレーム、液晶パネル板、および導光板をパラレルに並べたモデルに基づいて、これらの有効弾性ばね常数の和をとることによって表すことができる。このモデルによれば、従来の液晶表示装置全体の全体ばね常数Ｋは次のようになる。
【００４１】
Ｋ＝2×0.26 + 0.46 + 0.23≒ 1.2 (Kgf/mm)   ………………… (４)
これに対して、本実施の形態における２重折り曲げ部付フロントフレームを備える液晶表示装置の全体ばね常数Ｋは次のようになる。
【００４２】
Ｋ＝0.255 + 1.25 + 0.46 + 0.23≒ 2.2 (Kgf/mm)…………………(５)
式(４)と式(５)とを比較すれば、本発明の液晶表示装置は従来品に比較して２倍弱程度高い全体ばね常数Ｋとなっている。したがって、同じ振動荷重を受けた場合には、面外変形は従来の１／２程度になるので、従来品の正弦振動に対する耐力１．３Ｇは、２．５Ｇに増加する。また、応力に関しては、式(３)に従えば、最大応力は従来の液晶表示装置の５％程度に抑えることができる。
【００４３】
次に、本実施の形態におけるフロントフレームのリブによる衝撃緩和効果について説明する。図４は、リブを緩衝ばねとして利用する液晶表示装置を説明する図である。図４(ａ)は同装置の模式的断面図であり、図４(ｂ)はその緩衝ばねの等価モデルを示す図である。図４(ａ)を参照して、同装置は、支持対象である液晶パネル２４とバックライト２５との複合体と、各部材の端部とその凹部において当接して相対的な位置決めをするモールドフレーム８と、フロントフレーム１０において板曲げ加工により形成されたリブ１４とを備える。モールドフレーム８は高分子材で作製されているので、液晶パネルのガラスの表面保護の機能を有する。図４(ｂ)の等価モデルにおいて示すように、片持ち梁の曲げと同じ考え方により、その幅および長さを設定することにより所望の弾性常数を有するばねとすることができる。
【００４４】
次に、本実施の形態のフロントフレームの設計方法について説明する。液晶パネルおよび導光板などリブで支持される部品の総重量ｗを５５０ｇと設定する。この条件下で、面外方向(Ｚ方向)に受ける衝撃最大加速度はほぼ２２０Ｇと想定される。このときリブによる０．２ｍｍの緩和距離が、電気機能面から要求される。フロントフレームは厚み０．４ｍｍのステンレス鋼板で作製する。上記の部品集合体の周縁部のはめ合いをスムースに行うという要求からリブの長さを２ｍｍと限定すれば、板曲げ解析からリブの幅は６ｍｍとなり、４辺各２箇所に設置すればよい。矩形の１辺にのみリブを設ける場合には、その辺の荷重割合を用いて同じ方法により設計することができる。
【００４５】
次に、従来品と対照させて、本実施の形態のフロントフレームの２重折り曲げ部の衝撃緩和効果について説明する。図７に示す引き掛け構造によれば、側面脱落部の高さを２ｍｍとすれば、上記の２２０Ｇの衝撃荷重を受けた場合、平板曲げ解析から支持点の変形量は０．０７ｍｍ程度であることが分かる。平均接触時間は、２重折り曲げ部の先に設けたリブにおいては、引き掛け構造のリブのそれの約１．６９倍であり、同じ運動量変化に対して支持力は６０％弱に減少する。したがって、２重折り曲げ部の先に設けたリブは、ばねとして機能して衝撃緩和効果を有することが明らかとなった。
【００４６】
上記のように、フロントフレームの前面部とリブと間に液晶パネルやバックライト等の集合体の周縁部を挟持してはめ合せる構造を採用すれば、必要とされる剛性に応じて複数の辺で２重折り曲げ部を形成することができる。この２重折り曲げ部は組立ての際、プレス加工を行うだけで済むし、取扱いが面倒な粘着材やゴムテープを使用しないで済む。また、微小な寸法の部品等を必要としないので、補修性にも優れている。
【００４７】
（実施の形態２）
図５は実施の形態２における液晶表示装置の構成断面図である。図４において、フロントフレームの側面部には、実施の形態１と同様に２重折り曲げ部を備える。本実施の形態においては、はめ合い結合の代わりにフロントフレームのリブとモールドフレームとの間をねじ１５により結合する。この構造の実装の際、液晶パネル２４、モールドフレーム８およびバックライト２５等をあらかじめ組み立てておき、フロントフレーム１０のリブスペースに斜め方向に挿入して、ねじ１５によって固定する。リブ１４とねじ１５とによる固定方法はフロントフレーム４辺のうちの１辺のみで採用してもよいし、それ以上の辺で採用してもよい。ねじ１５が螺合される辺とは異なる他の辺には、別の固定方法を採用する必要がある。ねじによる固定ははめ合い結合よりも高い強度を有し、かつ衝撃緩和や補修容易性という特徴も兼ね備える。衝撃緩和の原理は、前記した実施の形態１と同じであるため、詳細な説明を省略する。
【００４８】
上記において、本発明の実施の形態について説明を行ったが、上記に開示された本発明の実施の形態は、あくまで例示であって、本発明の範囲はこれら発明の実施の形態に限定されない。本発明の範囲は、特許請求の範囲の記載によって示され、さらに特許請求の範囲の記載と均等の意味および範囲内での全ての変更を含む。
【００４９】
【発明の効果】
本発明によれば、高剛性と衝撃緩和効果とを兼ね備えることができるので、耐振動性および耐衝撃性が高い液晶表示装置を提供することができる。また、本発明によれば、付加的な部品点数を最小限に抑えるため、薄型化および大画面化にともなって生じる支持部材スペースの狭隘化という問題を解消することができる。さらに、軽量化、コスト削減、および生産性向上にも効果がある。また、本発明によれば、両面テープ等を光学部品に使用していないので、補修性に優れるという長所を有する。
【図面の簡単な説明】
【図１】  実施の形態１における液晶表示装置の断面図である。
【図２】  図１における液晶表示装置のフロントフレームを示す斜視図である。  (ａ)はフロントフレーム全体の斜視図であり、(ｂ)は２重折り曲げ構造とリブとが設けられた辺を模式的に示す図である。
【図３】  （ａ）は図１における液晶表示装置のフロントフレームを示す断面図である。(ｂ)は等価断面図である。
【図４】  リブによる衝撃緩和効果を説明する図である。(ａ)はリブと２重折り曲げ構造とを有する液晶表示装置の模式的断面図である。(ｂ)はその等価断面図である片持ちばねを示す。
【図５】  実施の形態２における液晶表示装置の断面図である。
【図６】  従来の液晶表示装置の断面図である。
【図７】  従来のフロントフレームの断面図である。(ａ)はフロントフレームの斜視図であり、(ｂ)は従来における引き掛け構造の例を示す図であり、(ｃ)は(ｂ)の引き掛け構造の平面図である。(ｄ)は従来における引き掛け構造の他の例を示す斜視図である。(ｅ)は(ｄ)の引き掛け構造の平面図である。
【図８】  液晶表示装置の実装手順を示す図である。
【図９】  従来の液晶表示装置のフロントフレームに曲げ振動荷重が負荷された状態を示す図である。(ａ)はフロントフレームの１辺の側面図であり、(ｂ)は(ａ)のＡ部の等価断面であり、(ｃ)はＢ部の等価断面である。
【図１０】  従来のフロントフレームに生じる曲げモーメントおよび応力の分布を示す図である。
【符号の説明】
５  液晶信号処理プリント基板、６  ＴＣＰ、８  モールドフレーム、１０  フロントフレーム、１１  フロントフレーム前面部、１２  フロントフレーム側面部（外側面部）、１３  ２重折り曲げ構造、１４  リブ、１５  ねじ、１６  内側面部、２１  導光板、２２  光源、２３  リフレクタ、２４  液晶パネル、２５  バックライト。
【図１】
0004219053.tif 000004
【図２】
0004219053.tif 000005
【図３】
0004219053.tif 000006
【図４】
0004219053.tif 000007
【図５】
0004219053.tif 000008
【図６】
0004219053.tif 000009
【図７】
0004219053.tif 000010
【図８】
0004219053.tif 000011
【図９】
0004219053.tif 000012
【図１０】
0004219053.tif 000013